(57)【特許請求の範囲】
【請求項１】
本体ケーシング内に、ガスバーナを収容するガスバーナ収容部と、カセットガスボンベを収容して前記ガスバーナにガスを供給するようにしたガスボンベ収容部とを設けた携帯ガスコンロであって、
略円形の前記ガスバーナの周縁部外方に設けられた汁受け皿と、前記本体ケーシング間に、前記汁受け皿及び前記ガスバーナを前記本体ケーシングより垂直方向に持ち上げるよう動作する支持部を設けたことを特徴とする携帯ガスコンロ。
【請求項２】
本体ケーシング内に、ガスバーナを収容するガスバーナ収容部と、カセットガスボンベを収容して前記ガスバーナにガスを供給するようにしたガスボンベ収容部を設けた携帯ガスコンロであって、
略円形型の前記ガスバーナの周縁部外方に設けられた汁受け皿に設置された複数の五徳が、その上部に前記略円形の径方向にスライドするスライド部を有し、さらに前記汁受け皿と、前記本体ケーシング間に前記汁受け皿及び前記ガスバーナを、前記本体ケーシングより垂直方向に持ち上げるよう動作する支持部を設けたことを特徴とする携帯ガスコンロ。
【請求項３】
前記ガスバーナが内円部と外円部との二重構造となっている請求項１又は２に記載の携帯ガスコンロ。
【発明の詳細な説明】
【発明の属する技術分野】
本発明は、鉄板等の底面積の広い熱盤の利用に対応できる携帯ガスコンロに関する。
【従来の技術】
従来の携帯可能なカセットガスボンベ用ガスコンロ（以下、「携帯ガスコンロ」という）では、ガスバーナでの燃焼熱がガスボンベに無制限に影響すると、カセットガスボンベは小容量で簡易なものであるため過熱状態となって異常燃焼や爆発の原因となる。そこで、ガスバーナと、ガス供給部に収容するカセットガスボンベとが所定距離だけ離れるようにしたり、ガスバーナ収容部（燃焼部）とガスボンベ収容部とを隔壁によって適度に仕切ったりすることにより、カセットガスボンベをガスバーナでの燃焼熱から保護するのが基本思想となっている。
このため特許文献１では、上向きに湾曲した焼肉用鉄板と、環状のガスバーナとを、巧みな通気を図って組み合わせ使用する焼肉用ガスコンロを提供している。
【特許文献１】
特開平６−２８４９７９号公報
【発明が解決しようとする課題】
ところで、最近のアウトドア志向の高まりにより、鉄板等の大きな熱盤についても利用を期待する声がある。
しかしながら前述のように、従来の携帯ガスコンロではガスボンベ収容部にまで跨るほどの面積をもつ熱盤の場合には、携帯ガスコンロ本体のケーシング（以下、「本体ケーシング」という）に熱がこもってしまうために、カセットガスボンベの爆発といった危険がある。
特許文献１に記載の焼肉用ガスコンロでは、焼肉用鉄板と焼肉用ガスコンロを組み合わせて使用するためのものであり、ガス収容部にまで跨るほどの面積をもつ熱盤について対応しているものではない。
本発明は上述の事情よりなされたものであり、本発明の目的は、ガスバーナの炎と本体ケーシングとの距離を作り出し、ガスバーナの炎が本体ケーシングにこもらずに熱盤を利用できる携帯ガスコンロを提供することにある。
【課題を解決するための手段】
本発明は、鉄板等の底面積の広い熱盤の利用に対応できる携帯ガスコンロに関し、本発明の目的は、本体ケーシング内に、ガスバーナを収容するガスバーナ収容部と、カセットボンベを収容して前記ガスバーナにガスを供給するようにしたガスボンベ収容部とを設けた携帯ガスコンロであって、略円形の前記ガスバーナの周縁部外方に設けられた汁受け皿と、前記本体ケーシング間に、前記汁受け皿及び前記ガスバーナを前記本体ケーシングより垂直方向に持ち上げるよう動作する支持部を設けたことによって達成される。
また、本発明の目的は、本体ケーシング内に、ガスバーナを収容するガスバーナ収容部と、カセットガスボンベを収容して前記ガスバーナにガスを供給するようにしたガスボンベ収容部を設けた携帯ガスコンロであって、略円形型の前記ガスバーナの周縁部外方に設けられた汁受け皿に設置された複数の五徳が、その上部に前記略円形の径方向にスライドするスライド部を有し、さらに前記汁受け皿と、前記本体ケーシング間に前記汁受け皿及び前記ガスバーナを、前記本体ケーシングより垂直方向に持ち上げるよう動作する支持部を設けたによって達成される。
また、本発明の目的は、前記ガスバーナが内円部と外円部との二重構造となっていることによって、より効果的に達成される。
【発明の実施の形態】
本発明は、鉄板等の表面積の広い熱盤を利用するために、本体ケーシングとガスバーナとを離して利用できる携帯ガスコンロを提供する。
以下、図面を用いて本発明の実施の形態を説明する。
図１、図２はそれぞれ本発明の実施の形態に係る携帯ガスコンロの上面図及び側面図である。
本携帯ガスコンロ１は、本体ケーシングが、隔壁２により、燃焼部１ａと、ガスボンベ収容部１ｂとに二分されて構成されており、底面には脚部１３が設けられている。調理面を上部に有する燃焼部１ａは、中心上部に略円形型のガスバーナ部５を露出させ、略円形型のガスバーナ部５の周縁部外方に汁受け部３が設けられており、汁受け部３上には加熱する容器を支持する五徳４が、方形に形成された燃焼部１ａの周枠近傍にガスバーナ部５を中心として相対的な位置関係で一対として取り付けられている。また、ガスバーナ部５に着火する着火部６がガスバーナ部５に近接して設けられ、前面には後述するガスを分岐するための選択つまみ１１が設けられている。
また、調理面を本体ケーシングから引き離すための支持部１２が本体ケーシングと汁受け部３とに両端が接続され、折りたたまれた状態で燃焼部１ａ内に格納されている。
ガスボンベ収容部１ｂは、ガスを供給するカセットガスボンベ７を内包し、ガスボンベ収用部１ｂの前面にガスの流入量を調節するつまみ８と、カセットガスボンベ７の着脱に用いられるガスボンベ着脱つまみ１０とを有し、つまみ８の動作に基づいてガスの流入量を調節するガス流入量調節部９がカセットガスボンベ７とガス供給管５ｂとに接続された構成となっている。
なお、五徳４は、その上部に略円形のガスバーナ部５の径方向にスライドするスライド部４ａを有し、ガスバーナ部５は、ガスバーナ部５下部のガス供給管５ａ，５ｂを介してガスボンベ収容部１ｂのガス流入量調節部９と接続されている。
通常利用する場合には、カセットガスボンベ７をセットし、つまみ８を用いて着火部６を動作させ、さらにガス流入量を調節することによりガス供給管５ａ、５ｂを通してガスバーナ部５にガスが供給されて点火される。これにより、五徳４に載置された容器に熱が伝導される。
図３は、プレート等の表面積の広い熱盤１４を利用した場合の側面図である。
鉄板等の表面積の広い熱盤１４を利用する場合、ガスボンベ収容部１ｂにまで熱盤１４が張り出してしまうために、カセットガスボンベ７に熱がこもってしまい爆発する危険がある。このため、熱がこもらないように支持部１２を利用して熱盤１４とガスボンベ収容部１ｂとの距離を作る。また、その際に五徳４に載置された熱盤１４を安定させるために、五徳４の上部に設けられたスライド部４ａを略円周形のバーナ部５の径方向にスライドさせて熱盤１４と五徳４間の接地点を広げる。構造上の簡便さや、ガスバーナ部５の燃焼の観点から、略円周形のバーナ部５の径方向にスライドさせるのが望ましい。
熱盤１４とガスボンベ収容部１ｂとの距離を作るためには、図２において燃焼部１ａ内に格納されている支持部１２を延伸させて固定する事により、汁受け部３とガスバーナ部５とをコンロ設置面から垂直上方へと持ち上げる。もちろんガスバーナ部５が上方へと持ち上げられるために、ガスバーナ部５へとガスを供給するガス供給管５ｂも延伸する必要がある。そのためガス供給管５ｂは、伸縮自在でありかつその接続部は気密に保たれている。これによりカセットガスボンベ７からガスバーナ部５へのガス供給は、支持部１２の延伸または格納の状態に関わらずに正常に供給される。
なお、支持部１２は伸縮可能であって、伸ばした状態で固定できる形状かつ方法であれば、その伸縮方法及び固定方法は限定しない。
しかしながら、従来のガスバーナでは熱盤１４の表面積が広いために熱盤１４全体に熱が行き渡らない場合がある。
図４は、表面積が広い熱盤１４を利用する場合に利用されるガスバーナ部５の斜視図である。
広範囲に火力を供給するために、ガスバーナ部５を内円部１５と外円部１６との二重構造にしている。これにより表面積の広い熱盤１４であっても適度な熱量を得る事ができる。
もちろん、通常の鍋等を利用する場合であればガスの節約の観点から、内円部１５または外円部１６のどちらを利用するかを選択できるように選択つまみ１１等が設けられていればなお良い。この場合には、ガス供給管５ａ内部にガスの流入を分岐させる分岐部１１ａを設け、この選択つまみ１１と同期させることによって内円部１５および／または外円部１６の利用の選択を制御する。
【発明の効果】
以上のように、本発明に係る携帯ガスコンロ１によれば、鉄板等の表面積が広く本携帯ガスコンロ１に用いる際にガスボンベ収容部１ｂにまでかかってしまうような熱盤１４を使用する場合でも、支持部１２を用いてガスボンベ収容部１ｂと距離をとることにより熱がこもってしまうのを防ぐことができる。
また、その際に、五徳４の上部に設けられたスライド部４ａを略円周形のガスバーナ部５の径方向にスライドさせて熱盤１４と五徳４間の接地点を広げることにより、五徳４に載置された熱盤１４を安定させることができる。
またさらに、ガスバーナ部５を内円部１５と外円部１６との二重構造にすることで、表面積の広い熱盤１４の全体を均一に加熱できる。
なお、通常の鍋やフライパン等と利用する場合や持ち運ぶ際には、支持部１２を燃焼部１ａに収納することができるため、携帯性を損なうことなく上記目的を達成できる。
【図面の簡単な説明】
【図１】  本発明に係る携帯ガスコンロの上面図である。
【図２】  本発明に係る携帯ガスコンロの側面図である。
【図３】  本発明に係る携帯ガスコンロの熱盤使用時の側面図である。
【図４】  本発明に係る携帯ガスコンロの二重構造のバーナ部の斜視図である。
【符号の説明】
１          携帯ガスコンロ
１ａ        燃焼部
１ｂ        ガスボンベ収容部
２          隔壁
３          汁受け部
４          五徳
５          ガスバーナ部
５ａ，５ｂ  ガス供給管
６          着火部
７          カセットガスボンベ
８          つまみ
９          ガス流入量調節部
１０        ガスボンベ着脱つまみ
１１        選択つまみ
１１ａ      分岐部
１２        支持部
１３        脚部
１４        熱盤
１５        内円部
１６        外円部
【図１】
0004074838.tif 000002
【図２】
0004074838.tif 000003
【図３】
0004074838.tif 000004
【図４】
0004074838.tif 000005